(57)【特許請求の範囲】
【請求項１】
ヒータ部によって加熱される金属製のベース部および前記ヒータ部に接続した電極部を有するアイロン部と、このアイロン部を載置し前記電極部と接続する電極部を有して前記アイロン部に給電するスタンド部と、前記アイロン部に帯電した静電気を検知する静電気検知部と、前記ベース部の温度を制御する制御部とを具備し、前記スタンド部の上面に、導電部材で形成され、前記アイロン部の前記ベース部を支持するローラー部を回転自在に設け、前記ローラー部は、前記静電気検知部に接続し、前記アイロン部を前記スタンド部に載置する際に、前記アイロン部の前記電極部が前記スタンド部の前記電極部に接触するのに先んじて最初に前記アイロン部の前記ベースが接触する位置に設けるとともに、前記制御部は、前記静電気検知部からの出力を受けて、前記アイロン部の前記ベース部に帯電した静電気に応じて、前記ベース部の温度もしくはスチームの量を変えるよう構成したアイロン。
【請求項２】
静電気検知部は、スタンド部に設けた請求項１記載のアイロン。
【請求項３】
アイロン部は、ベース部の温度を検知する温度検知手段と、この温度検知手段に接続した電極部とを備え、スタンド部に前記アイロン部を載置したとき前記電極部と接続する電極部を設け、この電極部を静電気検知部に接続した請求項２記載のアイロン。
【請求項４】
表示手段を備え、前記表示手段は、静電気検知部の出力によりアイロン部に帯電した静電気を表示するようにした請求項１〜３のいずれか１項に記載のアイロン。
【発明の詳細な説明】
【０００１】
【発明の属する技術分野】
本発明は、衣類などのしわ伸ばしを行うアイロンに関するものである。
【０００２】
【従来の技術】
従来、この種のアイロンは図９および図１０に示すような構成が一般的であった。以下、その構成について説明する。
【０００３】
図に示すように、アイロン部１は、ヒータ部２によって加熱されるベース部３を有しており、後部に電極部Ｐ１，Ｐ２，Ｐ３を突出している。商用電源４を有するスタンド部５は、アイロン部１に設けた電極部Ｐ１，Ｐ２，Ｐ３と接触する電極部Ｐ４，Ｐ５，Ｐ６を有している。
【０００４】
アイロン部１は、スタンド部２に載置されたとき、アイロン部１に設けた電極部Ｐ１，Ｐ２と、スタンド部５に設けた電極部Ｐ４，Ｐ５を介してスタンド部５に設けた商用電源４に接続され、ヒータ部２に商用電源４から電力が供給されてベース部３を加熱する。
【０００５】
そして、ベース部３の温度を温度検知部６で検知して、その検知温度信号を電極部Ｐ３，Ｐ６を介して制御部７に送り、制御部７は、送られてきた温度信号が温度設定部８で設定した設定温度に対して高いか低いかを判定し、その結果をヒータ部制御部９に出力する。ヒータ部制御部９はヒータ部２への電力供給を制御することにより、ベース部３の温度を一定に制御する。
【０００６】
このようなアイロンでは、アイロンがけを行った場合、多くの静電気がアイロン部１に帯電する。この状態でアイロン部１をスタンド部５に載置すると、静電気が電極部Ｐ３，Ｐ６を介してスタンド部５に侵入し、制御部７を破壊するという問題があった。
【０００７】
発明者らは、その解決策として、アイロン部に帯電した静電気が電極部を介してスタンド部に侵入する前に放電し、アイロン部に静電気が帯電した場合でも、スタンド部に設けた制御回路を破壊することのないようにしたアイロンを提案している。
【０００８】
【発明が解決しようとする課題】
発明者らが提案しているアイロンでは、アイロン部に帯電した静電気によってスタンド部に設けた制御回路が破壊しないようにできるが、アイロン部に帯電する静電気は、アイロンがけする衣類の種類、湿り具合、アイロンがけするときのアイロン部の移動速度等によって異なり、静電気を積極的に利用するものではなかった。
【０００９】
本発明は上記課題を解決するもので、アイロン部をスタンド部に載置すると同時にアイロン部のベース部に帯電した静電気を検知し、積極的に利用できるようにすることを第１の目的としている。
【００１０】
また、アイロン部をスタンド部に載置したとき、アイロン部のベース部に帯電した静電気を精度よく検知し、積極的に利用できるようにすることを第２の目的としている。
【００１１】
また、アイロン部をスタンド部に載置したとき、アイロン部の温度検知手段に帯電した静電気を検知し、積極的に利用できるようにし、構造を簡単にすることを第３の目的としている。
【００１２】
また、アイロン部に帯電した静電気の有無または静電気のレベルを表示することを第４の目的としている。
【００１３】
【課題を解決するための手段】
本発明は上記第１の目的を達成するために、ヒータ部によって加熱される金属製のベース部および前記ヒータ部に接続した電極部を有するアイロン部と、このアイロン部を載置し前記電極部と接続する電極部を有して前記アイロン部に給電するスタンド部と、前記アイロン部に帯電した静電気を検知する静電気検知部と、前記ベース部の温度を制御する制御部とを具備し、前記スタンド部の上面に、導電部材で形成され、前記アイロン部の前記ベース部を支持するローラー部を回転自在に設け、前記ローラー部は、前記静電気検知部に接続し、前記アイロン部を前記スタンド部に載置する際に、前記アイロン部の前記電極部が前記スタンド部の前記電極部に接触するのに先んじて最初に前記アイロン部の前記ベースが接触する位置に設けるとともに、前記制御部は、前記静電気検知部からの出力を受けて、前記アイロン部の前記ベース部に帯電した静電気に応じて、前記ベース部の温度もしくはスチームの量を変えるよう構成したことを第１の課題解決手段としている。
【００１４】
また、第２の目的を達成するために、上記第１の課題解決手段の静電気検知部は、スタンド部に設けたことを第２の課題解決手段としている。
【００１５】
また、第３の目的を達成するために、上記第２の課題解決手段のアイロン部は、ベース部の温度を検知する温度検知手段と、この温度検知手段に接続した電極部とを備え、スタンド部に前記アイロン部を載置したとき前記電極部と接続する電極部を設け、この電極部を静電気検知部に接続したことを第３の課題解決手段としている。
【００１６】
また、第４の目的を達成するために、上記第１から第３の課題解決手段に加えて、表示手段を備え、前記表示手段は、静電気検知部の出力によりアイロン部に帯電した静電気を表示するようにしたことを第４の課題解決手段としている。
【００１７】
【発明の実施の形態】
本発明は上記した第１の課題解決手段により、アイロン部は、スタンド部に載置されたとき、アイロン部に設けた電極部とスタンド部に設けた電極部を介してスタンド部より給電され、ベース部を加熱する。アイロンがけを行うとアイロン部のベース部に静電気が帯電し、静電気が帯電した状態でアイロン部をスタンド部に載置すると、アイロン部の電極部がスタンド部の電極部に接触する前にベース部がローラー部に接触するため、アイロン部のベース部に帯電した静電気をローラー部に接続した静電気検知部により検知することができ、アイロン部のベース部に帯電した静電気に応じて、例えば、アイロン部のベース部の温度を変えたり、スチームの量を変えることができる。
【００１８】
また、第２の課題解決手段により、アイロンがけを行うとアイロン部のベース部に静電気が帯電し、静電気が帯電した状態でアイロン部をスタンド部に載置すると、アイロン部はローラー部に接続した静電気検知部に接続されるため、アイロン部のベース部に帯電した静電気を精度よく検知し、積極的に利用することができる。
【００１９】
また、第３の課題解決手段により、アイロンがけを行うとアイロン部のベース部の温度を検知する温度検知手段に静電気が帯電し、静電気が帯電した状態でアイロン部をスタンド部に載置すると、電極部と電極部とを介して静電気検知部により検知し、積極的に利用することができる。
【００２０】
また、第４の課題解決手段により、アイロンがけを行うとアイロン部に静電気が帯電し、静電気が帯電した状態でアイロン部をスタンド部に載置すると、静電気検知部によりアイロン部に帯電した静電気を検知することができ、表示手段によりアイロン部に帯電した静電気の有無または静電気のレベルを表示することができ、使用者は、表示手段の表示を見て、必要に応じて、例えば、アイロン部１のベース部の温度を変えたり、スチームの量を変えることができる。
【００２１】
以下、本発明の第１の実施例を図１と図２を参照しながら説明する。なお、従来例と同じ構成のものは同一符号を付して説明を省略する。
【００２２】
図に示すように、アイロン部１は、ヒータ部２によって加熱される金属製のベース部３を有しており、後部に電極部Ｐ１，Ｐ２，Ｐ３を突出している。商用電源４を有するスタンド部１０は、アイロン部１に設けた電極部Ｐ１，Ｐ２，Ｐ３と接触する電極部Ｐ４，Ｐ５，Ｐ６を有している。
【００２３】
ローラー部１１は、アイロン部１のベース部３を支持するもので、スタンド部１０の上面に回転自在に設けている。接触部１２は、アイロン部１をスタンド部１０に載置したときに、電極部Ｐ１，Ｐ２，Ｐ３が電極部Ｐ４，Ｐ５，Ｐ６に接触するよりも先にアイロン部１と接触する位置に設け、この接触部１２を静電気検知部１３に接続している。
【００２４】
静電気検知部１３は、抵抗と電圧検知部とで構成し、抵抗を流れる静電気の放電電流を電圧検知部により検知し、アイロン部１に帯電した静電気を検知するようにしている。
【００２５】
上記構成において動作を説明すると、通常、アイロン部１をスタンド部１０に載置する場合、最初に、アイロン部１のベース部３とスタンド部１０に設けたローラー部１１が接触し、ローラー部１１を回転させながらアイロン部１を下方に移動させると、アイロン部１に設けた電極部Ｐ１，Ｐ２，Ｐ３と、スタンド部１０に設けた電極部Ｐ４，Ｐ５，Ｐ６が接触して載置が完了となる。
【００２６】
アイロンがけを行ってアイロン部１に静電気が帯電した状態で、アイロン部１をスタンド部１０に載置すると、アイロン部１のベース部３に帯電した静電気は、接触部１２、静電気検知部１３を通って商用電源４へと放電する。そして、静電気検知部１３では、検知した静電気の大きさを制御部１４に出力する。制御部１４は、アイロン部１に帯電した静電気に応じて、例えば、アイロン部１のベース部３の温度を変えたり、スチームの量を変える。
【００２７】
次に、本発明の第２の実施例を図３と図４を参照しながら説明する。なお、上記第１の実施例と同じ構成のものは同一符号を付して説明を省略する。
【００２８】
図に示すように、ローラー部１５は、アイロン部１のベース部３を支持するもので、スタンド部１６の上面に回転自在に設けている。このローラー部１５は、アルミニウム、銅、鉄などの金属、導電性ゴム、導電性樹脂、めっきを施した樹脂等の導電部材で構成し、静電気検知部１７に接続している。
【００２９】
上記構成において動作を説明すると、アイロンがけを行ってアイロン部１に静電気が帯電した状態で、アイロン部１をスタンド部１６に載置すると、最初に、アイロン部１のベース部３とスタンド部１６に設けたローラー部１５が接触するため、アイロン部１に帯電した静電気は、ローラー部１５、静電気検知部１７を通って商用電源４へと放電する。そして、静電気検知部１７では、検知した静電気の大きさを制御部１８に出力する。
【００３０】
なお、図５に示すように、ローラー部１５の代わりに、アルミニウム、銅、鉄などの金属、導電性ゴム、導電性樹脂、めっきを施した樹脂等の導電部材で構成し、スタンド部１９の上面に回転自在に動くボール部２０を設けてもよい。
【００３１】
次に、本発明の第３の実施例を図６と図７を参照しながら説明する。なお、上記第１の実施例と同じ構成のものは同一符号を付して説明を省略する。
【００３２】
図に示すように、スタンド部２１に設けた静電気検知部２２は、電極部Ｐ３，Ｐ６を介して温度検知部６に接続し、アイロン部１に設けた電極部Ｐ３は、他の電極部Ｐ１，Ｐ２よりも長くしている（図示せず）。
【００３３】
上記構成において動作を説明すると、アイロンがけを行ってアイロン部１に静電気が帯電した状態で、アイロン部１をスタンド部２１に載置すると、最初に、アイロン部１の電極部Ｐ３とスタンド部２１に設けた電極部Ｐ６が接触するため、アイロン部１の温度検知部６に帯電した静電気は、電極部Ｐ３、Ｐ６、静電気検知部２２を通って商用電源４へと放電する。そして、静電気検知部２２では、検知した静電気の大きさを制御部２３に出力する。
【００３４】
次に、本発明の第４の実施例を図８を参照しながら説明する。なお、上記第３の実施例と同じ構成のものは同一符号を付して説明を省略する。
【００３５】
図に示すように、スタンド部２４に設けた表示部２５は、静電気検知部２２により検知した静電気の大きさが所定の大きさ以上になると、表示動作を行うようにしている。
【００３６】
上記構成において動作を説明すると、制御部２６は、静電気検知部２２の出力を入力し、静電気の大きさが所定の大きさ以上であることがわかった場合は表示部２５を動作させて使用者に知らせる。使用者は、表示部２５の表示を見て、必要に応じて、たとえば、アイロン部１のベース部３の温度を変えたり、スチームの量を変えることができる。
【００３７】
なお、表示部２５の代えて報知部を設け音で知らせるようにしてもよい。
【００３８】
【発明の効果】
以上にように本発明は、ヒータ部によって加熱される金属製のベース部および前記ヒータ部に接続した電極部を有するアイロン部と、このアイロン部を載置し前記電極部と接続する電極部を有して前記アイロン部に給電するスタンド部と、前記アイロン部に帯電した静電気を検知する静電気検知部と、前記ベース部の温度を制御する制御部とを具備し、前記スタンド部の上面に、導電部材で形成され、前記アイロン部の前記ベース部を支持するローラー部を回転自在に設け、前記ローラー部は、前記静電気検知部に接続し、前記アイロン部を前記スタンド部に載置する際に、前記アイロン部の前記電極部が前記スタンド部の前記電極部に接触するのに先んじて最初に前記アイロン部の前記ベースが接触する位置に設けるとともに、前記制御部は、前記静電気検知部からの出力を受けて、前記アイロン部の前記ベース部に帯電した静電気に応じて、前記ベース部の温度もしくはスチームの量を変えるよう構成したことにより、アイロン部は、スタンド部に載置されたとき、アイロン部に設けた電極部とスタンド部に設けた電極部を介してスタンド部より給電され、ベース部を加熱する。アイロンがけを行うとアイロン部のベース部に静電気が帯電し、静電気が帯電した状態でアイロン部をスタンド部に載置すると、アイロン部のベース部に帯電した静電気をローラー部に接続した静電気検知部により検知することができ、アイロン部のベース部に帯電した静電気に応じて、例えば、アイロン部のベース部の温度を変えたり、スチームの量を変えることができる。
【００３９】
また、静電気検知部は、スタンド部に設けたことにより、アイロンがけを行うとアイロン部のベース部に静電気が帯電し、静電気が帯電した状態でアイロン部をスタンド部に載置すると、それと同時にアイロン部のベース部は静電気検知部に接続されるため、アイロン部のベース部に帯電した静電気を精度よく検知し、積極的に利用することができる。
【００４０】
また、アイロン部は、ベース部の温度を検知する温度検知手段とこの温度検知手段に接続した電極部とを備え、スタンド部に前記アイロン部を載置したとき前記電極部と接続する電極部を設け、この電極部を静電気検知部に接続したことにより、アイロンがけを行うとアイロン部のベース部の温度を検知する温度検知手段に静電気が帯電し、静電気が帯電した状態でアイロン部をスタンド部に載置すると、電極部と電極部とを介して静電気検知部により検知し、積極的に利用することができる。
【００４１】
また、表示手段を備え、前記表示手段は、静電気検知部の出力によりアイロン部に帯電した静電気を表示するようにしたことにより、アイロンがけを行うとアイロン部に静電気が帯電し、静電気が帯電した状態でアイロン部をスタンド部に載置すると、静電気検知部によりアイロン部に帯電した静電気を検知することができ、表示手段によりアイロン部に帯電した静電気の有無または静電気のレベルを表示することができ、使用者は、表示手段の表示を見て、必要に応じて、たとえば、アイロン部１のベース部の温度を変えたり、スチームの量を変えることができる。
【図面の簡単な説明】
【図１】  本発明の第１の実施例のアイロンのブロック回路図
【図２】  同アイロンの一部切欠した側面図
【図３】  本発明の第２の実施例のアイロンのブロック回路図
【図４】  同アイロンの一例の一部切欠した側面図
【図５】  同アイロンの他の例の一部切欠した側面図
【図６】  本発明の第３の実施例のアイロンのブロック回路図
【図７】  同アイロンの一部切欠した側面図
【図８】  本発明の第４の実施例のアイロンの要部ブロック回路図
【図９】  従来のアイロンの斜視図
【図１０】  同アイロンのブロック回路図
【符号の説明】
１  アイロン部
２  ヒータ部
３  ベース部
１０  スタンド部
１３  静電気検知部
Ｐ１  電極部
Ｐ２  電極部
Ｐ４  電極部
Ｐ５  電極部
【図１】
0003656292.tif 000002
【図２】
0003656292.tif 000003
【図３】
0003656292.tif 000004
【図４】
0003656292.tif 000005
【図５】
0003656292.tif 000006
【図６】
0003656292.tif 000007
【図７】
0003656292.tif 000008
【図８】
0003656292.tif 000009
【図９】
0003656292.tif 000010
【図１０】
0003656292.tif 000011